(57)【要約】【課題】改装後の蹴込部の前方に位置する床材を隠蔽可能な被覆部材を提供すること。【解決手段】改装後の流し台１００の蹴込部２に取り付けられ、蹴込部２の前方を被覆する、流し台用の被覆部材１０である。被覆部材１０は、蹴込部２の前面に取り付けられる第１係合部４を備え、蹴込部２の前方を被覆する前面部１１と、前面部１１の幅方向の両端から蹴込部２の幅方向の両端まで延びる一対の側面部１２と、を有し、蹴込部２に面する被覆部材１０の側面部１２の裏面に取り付けられ、第１係合部４に係合する第２係合部１３と、を有する。【選択図】図１
2020032142.tif 000002
【特許請求の範囲】
【請求項１】
改装後の流し台の蹴込部に取り付けられ、前記蹴込部の前方を被覆する、流し台用の被覆部材。
【請求項２】
前記蹴込部は、当該蹴込部の前面に取り付けられる第１係合部を備え、
前記蹴込部の前方を被覆する前面部と、前記前面部の幅方向の両端から前記蹴込部の幅方向の両端まで延びる一対の側面部と、を有し、
前記蹴込部に面する前記被覆部材の前記側面部の裏面に取り付けられ、前記第１係合部に係合する第２係合部と、を有する、請求項１に記載の流し台用の被覆部材。
【請求項３】
前記第２係合部は、前記蹴込部側に向かって突出する一対の嵌合爪を有し、
前記第１係合部は、前記被覆部材の前面部側に向かって突出し前記嵌合爪に嵌合する一対の嵌合受け部を有する、請求項２に記載の流し台用の被覆部材。
【請求項４】
前記蹴込部は、当該蹴込部の前面に取り付けられる第１係合部を備え、
前記蹴込部の前方を被覆する前面部と、前記前面部の幅方向の両端から前記蹴込部の幅方向の両端まで延びる一対の側面部と、を有し、
前記蹴込部に面する前記被覆部材の前記前面部の裏面に取り付けられ、前記第１係合部に係合する第２係合部と、を有する、請求項１に記載の流し台用の被覆部材。
【請求項５】
前記蹴込部の幅方向の中央部と、前記前面部の幅方向の中央部との間に配置される補強部材をさらに有する、請求項２〜４のいずれか１項に記載の流し台用の被覆部材。
【請求項６】
前記一対の側面部を構成する一対の側板と、前記前面部を構成する前板と、が接合されて構成される、請求項２〜５のいずれか１項に記載の流し台用の被覆部材。
【請求項７】
前記流し台は、洗面化粧台である、請求項１〜６のいずれか１項に記載の流し台用の被覆部材。
【請求項８】
請求項１〜７のいずれか１項に記載の前記流し台用の被覆部材と、前記蹴込部とを備える、流し台用の被覆構造。
【請求項９】
請求項３に記載の前記流し台用の被覆部材と、前記蹴込部とを備える、流し台用の被覆構造であって、
前記第１係合部は、前記嵌合受け部を固定支持する取付面部を有し、
前記取付面部は、その角部が前記蹴込部の前面の角部に対応する位置に配置され、前記嵌合受け部の固定位置を規定する位置決め部を有する、流し台用の被覆構造。
【請求項１０】
請求項６に記載の流し台用の被覆部材の施工方法であって、
前記前板を前記改装後の流し台の幅方向の寸法に合わせて切断する前板切断工程と、
切断後の前記前板の両端に前記一対の側板を接合する側板接合工程と、を有する、流し台用の被覆構造の施工方法。
【発明の詳細な説明】
【技術分野】
【０００１】
本発明は、流し台用の被覆部材に関する。
【背景技術】
【０００２】
従来、洗面化粧台や台所の流し台の下にキャビネットが配置され、キャビネットの奥側の位置で、床に向かって垂直に延びる蹴込部が形成されることが知られている（例えば、特許文献１参照）。
【先行技術文献】
【特許文献】
【０００３】
【特許文献１】特開２００４−４１３０８号公報
【発明の概要】
【発明が解決しようとする課題】
【０００４】
ところで、近年、流し台等を改装して取り替える場合がある。このとき、改装後に取り付けられる新しいキャビネットの奥行方向の位置が、古いキャビネットの蹴込部よりも奥に配置される場合がある。
【０００５】
蹴込部の奥行方向の位置が変化することで、床材の色が汚れで変わったり、床材が配置されていない部分が露出したりする場合がある。このため、改装によって蹴込部の位置が奥側に変化した場合に、床材の外観が変化した箇所を隠すことが望まれている。
【課題を解決するための手段】
【０００６】
（１）  本発明は、改装後の流し台（例えば、後述の洗面化粧台１００）の蹴込部（例えば、後述の蹴込部２）に取り付けられ、前記蹴込部の前方を被覆する、流し台用の被覆部材（例えば、後述の被覆部材１０）に関する。
【０００７】
（２）  前記蹴込部は、当該蹴込部の前面に取り付けられる第１係合部（例えば、後述の第１係合部４）を備え、前記蹴込部の前方を被覆する前面部（例えば、後述の前面部１１）と、前記前面部の幅方向の両端から前記蹴込部の幅方向の両端まで延びる一対の側面部（例えば、後述の側面部１２）と、を有し、前記蹴込部に面する前記被覆部材の前記側面部の裏面に取り付けられ、前記第１係合部に係合する第２係合部（例えば、後述の第２係合部１３）と、を有することが好ましい。
【０００８】
（３）  前記第２係合部は、前記蹴込部側に向かって突出する一対の嵌合爪（例えば、後述の嵌合爪１３２）を有し、前記第１係合部は、前記被覆部材の前面部側に向かって突出し前記嵌合爪に嵌合する一対の嵌合受け部（例えば、後述の嵌合受け部４２）を有することが好ましい。
【０００９】
（４）  前記蹴込部は、当該蹴込部の前面に取り付けられる第１係合部を備え、前記蹴込部の前方を被覆する前面部と、前記前面部の幅方向の両端から前記蹴込部の幅方向の両端まで延びる一対の側面部と、を有し、前記蹴込部に面する前記被覆部材の前記前面部の裏面に取り付けられ、前記第１係合部に係合する第２係合部と、を有することが好ましい。
【００１０】
（５）  前記蹴込部の幅方向の中央部と、前記前面部の幅方向の中央部との間に配置される補強部材（例えば、後述の第１補強部材１４）をさらに有することが好ましい。
【００１１】
（６）  前記一対の側面部を構成する一対の側板と、前記前面部を構成する前板と、が接合されて構成されることが好ましい。
【００１２】
（７）  前記流し台は、洗面化粧台であることが好ましい。
【００１３】
（８）  （１）〜（７）のいずれかに記載の前記流し台用の被覆部材と、前記蹴込部とを備える、流し台用の被覆構造が好ましい。
【００１４】
（９）  （３）に記載の前記流し台用の被覆部材と、前記蹴込部とを備える、流し台用の被覆構造であって、前記第１係合部は、前記嵌合受け部を固定支持する取付面部（例えば、後述の取付面部４１）を有し、前記取付面部は、その角部が前記蹴込部の前面の角部に対応する位置に配置され、前記嵌合受け部の固定位置を規定する位置決め部（例えば、後述の位置決め部５）を有する、流し台用の被覆構造が好ましい。
【００１５】
（１０）  （６）に記載の流し台用の被覆部材の施工方法であって、前記前板を前記改装後の流し台の幅方向の寸法に合わせて切断する前板切断工程（例えば、後述の前板切断工程Ｓ１）と、切断後の前記前板の両端に前記一対の側板を接合する側板接合工程（例えば、後述の側板接合工程Ｓ２）と、を有する、流し台用の被覆構造の施工方法が好ましい。
【発明の効果】
【００１６】
本発明によれば、改装後の蹴込部の前方に位置する床材を隠蔽可能な被覆部材を提供することができる。
【図面の簡単な説明】
【００１７】
【図１】本実施形態の改装後の洗面化粧台を示す斜視図である。
【図２】本実施形態の蹴込部及び被覆構造を示す展開図である。
【図３】本実施形態の被覆部材を示し、（ａ）図は、上面図、（ｂ）図は下面図、（ｃ）図は側面図である。
【図４】本実施形態の被覆構造の断面図である。
【図５】他の実施形態における蹴込部及び被覆部材を示す模式図である。
【発明を実施するための形態】
【００１８】
以下、本発明の実施形態について図面を参照しながら詳細に説明する。
図１は、本実施形態の改装後の流し台としての洗面化粧台１００を示す斜視図である。図１に示すように、洗面化粧台１００は、湯水を貯水又は排水可能な洗面器１１０と、洗面器１１０の下部に配置され、内部に物品の収容空間が形成されるキャビネット１２０と、洗面器１１０に湯水を吐水可能な混合水栓１５０と、キャビネット１２０の前側の下方に配置される蹴込部２と、を有する。洗面化粧台１００の蹴込部２の前側には、被覆構造１が設けられている。
なお、本明細書において、洗面化粧台１００の使用時に使用者が位置する方を前方、前方に対向する奥側を後方と呼び、前方から後方に向かった状態で左右方向を規定する。
【００１９】
洗面器１１０は、略長方形の周縁から下方に向かって窪むボウル部１１１と、ボウル部１１１の後方から上方へ延出する後方壁部１１２とを有する。
【００２０】
混合水栓１５０は、後方壁部１１２に取り付けられ、洗面器１１０に湯水を吐水する吐水装置１５１と、図示しない給水管から湯水を供給し、吐水及び止水の操作を行う水栓装置１５２とを有する。
【００２１】
キャビネット１２０は、略直方体に形成され、洗面器１１０の四周の縁から床材９に向かって延出する一対のキャビネット側面１２１と、前扉１２２と、背面部１２３と、蹴込部２と、を有する。
一対のキャビネット側面１２１は、洗面器１１０の左右の側縁から下方に延出する。
前扉１２２は、洗面器１１０の前側の側縁から下方に延び、床面から所定距離上方に離れた位置が下端部になっている。
背面部１２３は、前扉１２２に対向して背面側に配置される板材であり、建物の壁面にネジで固定される。
【００２２】
蹴込部２は、前扉１２２の下端から床面までの垂直な面であり、前扉１２２の前面よりも奥側で上下に延びている。蹴込部２は、キャビネット１２０を側面から見た場合、キャビネット側面１２１の下方で、前方から後方にＬ字型に切り欠かれた部分の前面である。
【００２３】
図１に示すように、本実施形態では、改装後の洗面化粧台１００は、キャビネット１２０の前後方向の奥行が小さくなったため、蹴込部２が改装前と比べて奥側に移動した。このため、改装前の蹴込部があった位置と改装後の蹴込部２との間Ｄで、所謂クッションフロア等の床材９の色に変化が生じている。
【００２４】
図２は、蹴込部２及び被覆構造１を示す展開図である。
図２に示すように、被覆構造１は、被覆部材１０と、蹴込部２と、を有する。
【００２５】
図３は被覆部材１０を示し（ａ）図は上面図、（ｂ）図は下面図、（ｃ）図は左側面図である。（ｃ）図では説明の便宜のため、手前の左側の側面部１２を省略して表している。
被覆部材１０は、図３に示すように、改装後の洗面化粧台１００の蹴込部２に取り付けられ、蹴込部２の前方を被覆する。被覆部材１０は、平面視略コの字状に形成され、前面部１１と、一対の側面部１２と、第２係合部１３と、第１補強部材１４と、第２補強部材１５と、を有する。
【００２６】
前面部１１は、蹴込部２の前方を被覆する長方形の木製の板材である。前面部１１は、キャビネット１２０の幅と同じ寸法を有する前板により構成される。
【００２７】
側面部１２は、前面部１１の幅方向の一方及び他方から蹴込部２の両端まで延びる木製の板材である。側面部１２は、取り付けられた状態でキャビネット側面１２１に沿う面を形成する横板により構成される。側面部１２の前面部１１側の端面にはダボ１２４が形成され（図４参照）、前面部１１側の穴にダボ１２４が差し込まれて前面部１１と側面部１２とが接合されることで、被覆部材１０が形成される。
【００２８】
第２係合部１３は、図３（ｃ）に示すように、前面部１１と側面部１２とが交差する角において側面部１２の裏面に取り付けられ、後述する第１係合部４に係合する。第２係合部１３は、一対の係合部取付部１３１及び一対の嵌合爪１３２を有する。
係合部取付部１３１は、略長方形の板面であり、側面部１２の内側面にネジで締結される。
嵌合爪１３２は、係合部取付部１３１の長手方向の略中央部に設けられ、前面部１１から離れる方向、すなわち蹴込部２側に向かって突出する。嵌合爪１３２は、先端側に前面部１１側へ向かって凸となる嵌合片１３２ａが形成される。第２係合部１３の嵌合爪１３２と、後述する第１係合部４とが互いに係合することで、被覆部材１０が蹴込部２に固定される。
【００２９】
第１補強部材１４は、蹴込部２の前面と、被覆部材１０の前面部１１の裏側の間に配置される角柱体である。また、第１補強部材１４は、蹴込部２の幅方向の中央部と、前面部１１の幅方向の中央部との間に配置される。図３（ａ）及び図３（ｂ）に示すように、第１補強部材１４の厚みは、キャビネット１２０の蹴込部２と前面部１１の裏面との間の寸法と同じかそれよりもわずかに厚い。第１補強部材１４は、発泡スチロールであり、両面テープにより前面部１１の裏側に接着される。第１補強部材１４は、被覆部材１０が蹴込部２に取り付けられた状態で、前面部１１に押圧されながら前面部１１を補強する。
【００３０】
第２補強部材１５は、図３（ｂ）に示すように、前面部１１と側面部１２とが交差する角部に取り付けられるＬ字型の金具である。図３（ｃ）に示すように、第２補強部材１５は、第２係合部１３の係合部取付部１３１の直下に取り付けられる。第２補強部材１５により、前面部１１と側面部１２との接合が強固に補強される。
【００３１】
図４は、被覆構造１の断面図である。
第１係合部４は、図２及び図４に示すように、蹴込部２の前面に取り付けられる。具体的には、第１係合部４は、蹴込部２の幅方向両側で、被覆部材１０の側面部１２の厚さ分内側にずれた位置に配置されている。第１係合部４は、取付面部４１と、嵌合受け部４２とを有する。
【００３２】
図２に示すように、取付面部４１は長方形状の板面であり、蹴込部２の前面に取り付けられる。詳細には、取付面部４１は、蹴込部２の幅方向の両側にネジで締結される。また、取付面部４１は、取り付け位置を規定するための位置決め部５を有する。
位置決め部５は、長方形のシールであり、蹴込部２の幅方向の両端に貼付される。なお、他の実施形態における位置決め部５は、シールでなくてもよく、糊がついていないフィルム状の部材でもよい。この場合、別途、糊等を用いて、位置決め部５を貼ればよい。また、位置決め部５は、長方形でなくてもよい。位置決め部５は、蹴込部２の前面で、幅方向の両端部と上端との角部に対応する位置に配置される。位置決め部５の幅方向内側及び下縁に沿って、取付面部４１の角を位置合わせすれば、取付面部４１が第２係合部１３に係合可能な位置に取り付けられる。
【００３３】
嵌合受け部４２は、取付面部４１に固定支持され、取付面部４１から被覆部材１０の前面部１１側に向かって突出する。嵌合受け部４２は、案内溝４２０と、凹部４２１とを有する。
案内溝４２０は、嵌合受け部４２の外縁が第２係合部１３よりも一回り大きく形成され、かつ内側（前面部の略中央部側）に向かって突出することで、外縁同士の間に前後方向に延びるように成される。案内溝４２０に、第２係合部１３の嵌合爪１３２が案内される。
凹部４２１は、案内溝４２０の奥側が窪むことで形成される。凹部４２１に嵌合爪１３２の嵌合片１３２ａが係止されることで、嵌合爪１３２が第１係合部４に嵌合する。
【００３４】
以上の被覆構造１は、次の手順で取り付けられる。
改装後の洗面化粧台１００における蹴込部２の上端でかつ幅方向両端の角部に、位置決め部５を貼る。そして、位置決め部５の下方内側端部に、第１係合部４の取付面部４１を合わせて接合し、第１係合部４をネジで取り付ける。第１係合部４の取付面部４１は、嵌合受け部４２の奥側の端部から、蹴込部２に沿って延び、蹴込部２に取り付けられる平坦な板面である。位置決め部５により、第１係合部４における取付面部４１が、位置を正確に決められるとともに、嵌合受け部４２の固定位置が規定される。これにより、嵌合爪１３２と嵌合受け部４２とが嵌合可能に向き合うことになる。位置決め部５の寸法は、被覆部材１０が蹴込部２に取り付けられた際に、取付面部４１が側面部１２の板厚よりも内側であり、蹴込部２の所定位置（嵌合受け部４２が嵌合爪１３２に嵌合可能な位置）に配置されるように、決められている。
被覆部材１０を蹴込部２側に近付けて、第２係合部１３の嵌合爪１３２を、第１係合部４の嵌合受け部４２に形成された案内溝４２０に沿わせつつ、嵌合片１３２ａを凹部４２１に嵌合させる。これにより、被覆部材１０が改装後の蹴込部２に取り付けられ、蹴込部２の前方に位置する床材の一部を覆う。
【００３５】
本実施形態によれば、以下の効果が奏される。
本実施形態では、洗面化粧台用の被覆部材１０を、改装後の洗面化粧台１００の蹴込部２に取り付け、蹴込部２の前方を被覆するように構成した。
本実施形態によれば、改装後のキャビネット１２０が、改装前のキャビネットよりも奥行方向の寸法が小さくなったことで、改装前の床材９が露出した場合に、キャビネット１２０の蹴込部２の前方を被覆する被覆部材１０を取り付けることで、改装前の床材９が露出した部分を隠すことができる。このため、改装後のキャビネット１２０回りの美観を容易に向上させることができる。
【００３６】
本実施形態では、被覆部材１０を、蹴込部２の前面に取り付けられる第１係合部４を含んで構成するとともに、蹴込部２の前方を被覆する前面部１１と、前面部１１の幅方向の両端から蹴込部２の幅方向の両端まで延びる一対の側面部１２と、を含んで構成し、蹴込部２に面する被覆部材１０の側面部１２の裏面に取り付けられ、第１係合部４に係合する第２係合部１３と、を含んで構成した。
本実施形態では、蹴込部２の前面に取り付けられた第１係合部４に、被覆部材１０の側面部１２の裏面に取り付けられた第２係合部１３を係合させることで被覆部材１０が蹴込部２を覆うので、第１係合部４や第２係合部１３が被覆部材１０の外側から視認されない。このため、改装後の蹴込部２の美観を向上させることができる。
【００３７】
本実施形態では、第２係合部１３を、蹴込部２側に向かって突出する一対の嵌合爪１３２を含んで構成した。また、第１係合部４を、被覆部材１０の前面部側に向かって突出し嵌合爪１３２に嵌合する一対の嵌合受け部４２を含んで構成した。
嵌合爪１３２と嵌合受け部４２との係止嵌合により被覆部材１０と蹴込部２が固定されるので、第１係合部４及び第２係合部１３を容易かつ目立たなく構成することができる。
【００３８】
本実施形態では、蹴込部２の幅方向の中央部と、前面部１１の幅方向の中央部との間に配置される第１補強部材１４をさらに含んで構成した。
前面部１１の中央部が第１補強部材１４により裏打ちされているので、前面部１１の剛性及び強度が高まる。仮に、前面部１１が洗面化粧台１００の使用者のつま先で蹴られることがあったとしても、被覆構造１の形状を維持することができる。
【００３９】
本実施形態では、被覆部材１０を、一対の側面部１２を構成する一対の側板と、前面部１１を構成する前板と、を接合して構成した。このため、被覆部材１０を単純な直方形状等に構成した場合よりも軽量化することができる。
【００４０】
本実施形態では、流し台は洗面化粧台１００である、蹴込部２が、洗面化粧台１００のキャビネット１２０の下に配置されることで、洗面化粧台１００の改装で、露出した床材９の改装前の下地や、色の変化した部分等を被覆することができ、上記と同様の効果を奏する。
【００４１】
本実施形態では、洗面化粧台１００用の被覆構造１を、洗面化粧台１００用の被覆部材１０と、蹴込部２と、を含んで構成した。これにより、上記と同様の効果を奏する。
【００４２】
本実施形態では、流し台用の被覆構造１において、第１係合部４を、嵌合受け部４２を固定支持する取付面部４１を含んで構成した。また、取付面部４１を、その角部が蹴込部２の前面の角部に対応する位置に配置され、嵌合受け部４２の固定位置を規定する位置決め部５を含んで構成した。
位置決め部５により、第１係合部４を取り付ける位置を容易に知ることができる。また、第１係合部４の取り付け位置を正確にすることで、第１係合部４と第２係合部１３との係合、より詳細には、嵌合爪１３２と嵌合受け部４２との嵌合部が確実に行われ、嵌合爪１３２及び嵌合受け部４２が外れることを防止できる。また、被覆部材１０と第１係合部４とのがたつきや変形等を防止することができる。
【００４３】
以上、本発明の好ましい実施形態について説明したが、本発明は、上述の実施形態に制限されるものではなく、適宜変更が可能である。
図５は、他の実施形態に係る被覆構造１Ａの模式図である。
他の実施形態では、前面部１１Ａ及び一対の側面部１２Ａは別体であり、前面部１１Ａの側面に側面部１２Ａを取り付けて構成される。
【００４４】
前面部１１Ａを構成する前板は、木製又は樹脂製等の長方形の板であり、施工現場において取り付ける改装後の洗面化粧台（図示省略）におけるキャビネット１２０Ａの幅方向の寸法に合わせて切断される（前板切断工程Ｓ１）。
【００４５】
側面部１２Ａを構成する側板は、前面部１１Ａの幅方向の一方及び他方に取り付けられる樹脂製の長方形の板であり、長手方向が上下方向に沿うように配置される。側面部１２Ａの側板は、切断した後の前面部１１Ａの前板の両端に接合される（側板接合工程Ｓ２）。側面部１２Ａは、挟持部１７及び第３係合部１８を有する。
【００４６】
挟持部１７は、側面部１２Ａを前面部１１Ａに取り付けた場合の側面部１２Ａの前方側に位置する端部に形成される。挟持部１７は、前面部１１Ａの中央部側に向かって突出し、前面部１１Ａの厚さ方向の端部を挟持可能な２つの突出片１７１を有している。突出片１７１は、一つが側面部１２Ａの前端に、もう一つが前端から前面部１１Ａの厚さ分、後方に離れた位置に設けられる。
【００４７】
第３係合部１８は、蹴込部２に設けられた第１係合部４Ａに係合するように突出する鉤状の部分である。第３係合部１８は、側面部１２Ａの幅方向の他方、すなわち前面部１１Ａに取り付けた場合の後方側に位置する端部に形成される。挟持部１７は、前面部１１Ａの幅方向内側に向かって突出する。
【００４８】
第１係合部４Ａは、蹴込部２の前面に取り付けられる取付面部４１Ａと、第３係合部１８に係合可能な嵌合受け部４２Ａを有する。嵌合受け部４２Ａは、取付面部４１Ａから前方に向かって突出した後、蹴込部２の幅方向外側に屈曲する。
【００４９】
図５に示すように、前面部１１Ａに側面部１２Ａを取り付けた状態で、蹴込部２に向かって近付ける。すると、側面部１２Ａの後方側の端部から突出する第３係合部１８が、蹴込部２に取り付けられた第１係合部４Ａの嵌合受け部４２Ａの先端を弾性変形して乗り越え、側面部１２Ａの後方端部が蹴込部２に当接した位置で第３係合部１８が嵌合受け部４２Ａに係合する。これにより、被覆部材１０Ａが第１係合部４Ａを介して蹴込部２に取り付けられる。
【００５０】
他の実施形態によれば、洗面化粧台１００の幅方向の寸法が、施工現場によって異なる場合に、予め複数の寸法の前面部用の前板を準備しておかなくても、木製又は樹脂製等の板を施工現場で切断することで合わせられるので、部品点数を低減できる。
【００５１】
また、以上の実施形態において、蹴込部２側に第１係合部４が形成され、被覆部材側に第２係合部１３が設けられる構成を例に説明したが、これに限られない。係合部が蹴込部２側に設けられ、第１係合部が被覆部材側に設けられてもよい。
【００５２】
また、上記実施形態では、側面部１２の裏面側に第２係合部１３が設けられているが、これに限られない。第２係合部１３は、前面部１１の裏面側に設けられていてもよい。
【００５３】
また、被覆部材１０、１０Ａを蹴込部２に取り付ける構造は、爪状の部材及びこれを受ける部材が互いに係合することを例に説明したが、これに限られない。例えば磁石や面ファスナー等で接合してもよく、釘やネジで固定してもよい。
【００５４】
また、以上の実施形態において、蹴込部２が洗面化粧台１００の下部に設けられることを例に説明したが、これに限られない。蹴込部は、台所用シンクの下部に設けられてもよい。
【符号の説明】
【００５５】
１      被覆構造
２      蹴込部
４      第１係合部
５      位置決め部
１０    被覆部材
１１    前面部
１２    側面部
１３    第２係合部
１４    第１補強部材（補強部材）
４１    取付面部
４２    嵌合受け部
１００  洗面化粧台
１３２  嵌合爪
【図１】
2020032142.tif 000003
【図２】
2020032142.tif 000004
【図３】
2020032142.tif 000005
【図４】
2020032142.tif 000006
【図５】
2020032142.tif 000007